(57)【要約】 【課題】  非常にコンパクトな構造で、メッセージを表記した紙を鞘筒に出し入れし易いため、該紙の保管時及び開封時（取出時）において、迅速かつ容易に処理できるようにした木簡カプセルを提供すること。  【解決手段】長手方向に貫通孔を有する鞘筒１０と、文字や図柄や模様等のメッセージ２１を表記し、かつ鞘筒１０の貫通孔１１内に収納される和紙等の紙２０と、前記紙２０を巻き付けて丸め鞘筒１０の貫通孔１１に嵌挿すると共に、該紙２０が貫通孔１１内に完全に収納された状態で紙２０及び貫通孔１１から引き抜いて該紙２０を貫通孔１１内に収納して保管する丸め棒３０とを備え、前記紙２０の取り出し時には紙２０の一端を丸め棒３０で押して取り出すようにしてある。【選択図】図２
2011016227.tif 000002
【特許請求の範囲】
【請求項１】
長手方向に貫通孔を有する鞘筒と、文字や図柄や模様等のメッセージを表記し、かつ鞘筒の貫通孔内に収納される和紙等の紙と、前記紙を巻き付けて丸め鞘筒の貫通孔に嵌挿すると共に、該紙が貫通孔内に完全に収納された状態で紙及び貫通孔から引き抜いて該紙を貫通孔内に収納して保管する丸め棒とを備え、前記紙の取り出し時には紙の一端を丸め棒で押して取り出すようにしてなることを特徴とする木簡カプセル。
【請求項２】
前記鞘筒の外周面には、使用目的に合わせてマークや図形や文字等の標章が記載されていることを特徴とする請求項１に記載の木簡カプセル。
【請求項３】
請求項１または２に記載の木簡カプセルのそれぞれには収納地番を記載すると共に、該多数の木簡カプセルを和紙で束ねて単位セットとする一方、前記単位セットが収納される収納室を格子状に多数形成すると共に、各収納室には収納地番が記載されている収納ケースを設け、各収納室には収納地番に適合する前記単位セットが収納されるようにしてあることを特徴とする木簡カプセル。
【発明の詳細な説明】
【技術分野】
【０００１】
本発明は、文字や図柄や模様等のメッセージを表記した紙（和紙等）を収納する木簡カプセルに関するものである。
【背景技術】
【０００２】
木札に文字等を記した木簡は、平城宮跡などの遺跡から出土され、史料的に価値が高く、歴史学者や歴史ファンにとっては貴重な史料である。
現在の文書や物品などを収納し、将来の発掘を願望して土中に埋蔵するタイムカプセルも知られている。
【０００３】
しかしながら、前記木簡は過去の遺物で木札であるため、保存性や耐久性が全く考慮されていない。また、タイムカプセルは、保存性や耐久性はあるものの、１つの収納容器の収納室に各人の被収納物をまとめて収納するだけであり、開封時に各人が自己の被収納物を探すのに大変であるし、まして莫大な数の被収納物を１つの収納容器に収納した場合、その中から自己の被収納物を探し当てるのは至難の業である。なぜなら、タイムカプセルで、被収納物毎の収納地番（個所）を設けたものはないからである。
【０００４】
そして、本願発明者が知る限りでは、木簡やタイムカプセルにおいて、本願発明の如く、メッセージを表記した紙を長手方向の貫通孔内に嵌脱自在に収納するようにしたコンパクトな鞘筒を有するものは、知得することはできなかった。
【発明の概要】
【発明が解決しようとする課題】
【０００５】
しかしながら、従来のタイムカプセルは、前述したように、開封時に各人の被収納物を早く探し当て難い上に、被収納物が莫大な個数の場合にはその欠点はますます顕著なものとなる。
【０００６】
本発明は、上記問題を解消しようとするものであって、開封時に各人の被収納物を素早く探し当てできるばかりか、コンパクトな構造で、メッセージを表記した紙を鞘筒に出し入れし易く、さらに、莫大な個数の木簡カプセルの場合でも、各木簡カプセルに付されている収納地番（識別符号）に応じて、被収納物を収納ケースの収納室に収納することにより、保管時において迅速容易に保管ができると共に、開封時においても迅速容易に取り出すことができる等の木簡カプセルを提供することを目的とするものである。
【課題を解決するための手段】
【０００７】
上記目的を達成するため、本発明の請求項１の木簡カプセルは、長手方向に貫通孔を有する鞘筒と、文字や図柄や模様等のメッセージを表記し、かつ鞘筒の貫通孔内に収納される和紙等の紙と、前記紙を巻き付けて丸め鞘筒の貫通孔に嵌挿すると共に、該紙が貫通孔内に完全に収納された状態で紙及び貫通孔から引き抜いて該紙を貫通孔内に収納して保管する丸め棒とを備え、前記紙の取り出し時には紙の一端を丸め棒で押して取り出すようにしてなることを特徴とする。
【０００８】
ここで、鞘筒は、その材質は檜や杉などの木材が好ましいが、合成樹脂やその他の材料でもよい。また、その形状は断面が四角や三角等の多角形状が好ましいが、断面が円形、楕円形などでもよく、適宜選定できる。  
【０００９】
紙は、１，０００年以上の耐久性のある和紙が好ましいが、使用目的に応じて、それ程の耐久性のないその他の紙を使用することもできる。この紙はメッセージを表記した後、丸め棒で巻き付けて丸めるもので、長尺としてある。
【００１０】
鞘筒の貫通孔内に収納して保管されている紙を開封する場合には、前記丸め棒で収納されている紙を押し出して取り出し、紙に表記されているメッセージを読むことができる。
なお、丸め棒は、木製が好ましいが、これに限定されない。
【００１１】
請求項２の木簡カプセルは、前記鞘筒の外周面には、使用目的に合わせてマークや図形や文字等の標章が記載されていることを特徴とする。
【００１２】
ここで、標章とは、例えば、この木簡カプセルの作成者の氏名、所属団体名（事業者名や協賛者名等）、別設の収納ケースの収納室に収納する場合の収納地番（収納場所）、図柄やマーク等を指称するもので、使用目的に応じて適宜選定するとよい。
【００１３】
請求項３の木簡カプセルは、請求項１または２に記載の木簡カプセルのそれぞれには収納地番を記載すると共に、該多数の木簡カプセルを和紙で束ねて単位セットとする一方、前記単位セットが収納される収納室を格子状に多数形成すると共に、各収納室には収納地番が記載されている収納ケースを設け、各収納室には収納地番に適合する前記単位セットが収納されるようにしてあることを特徴とする。
【００１４】
ここで、収納地番とは、現今の住居表示の如く、「都道府県・市町村名・・・丁目・・番・・号」の表示や、古代の都城制の区画表示の如く、「・・坊・・条」等の表示でもよく、使用目的に応じて適宜選定するとよい。
【発明の効果】
【００１５】
請求項１の木簡カプセルによれば、長手方向に貫通孔を有する鞘筒と、メッセージを表記する紙と、この紙を鞘筒の貫通孔に嵌脱自在に嵌挿する丸め棒とからなるから、非常にコンパクトな構造で、メッセージを表記した紙を鞘筒に出し入れし易いため、該紙の保管時及び開封時（取出時）において、迅速かつ容易に処理できる。                      
【００１６】
請求項２の木簡カプセルによれば、鞘筒の外周面には標章が記載されているから、各木簡カプセルの作成者は、その標章を他人のものと識別する符号とすることができる。そのため、別設の収納ケースの収納室に、各木簡カプセルを他人のものと区別して収納でき、保管時及び開封時において迅速容易に処理することができる。
【００１７】
請求項３の木簡カプセルによれば、単位セットの木簡カプセルに記載された収納地番に適合する、収納ケースの収納室に収納することができるから、莫大な個数の木簡カプセルの場合でも、各木簡カプセルに付されている収納地番（識別符号）に応じて、被収納物を収納ケースの収納室に収納することにより、保管時及び開封時（取出時）のいずれにおいても迅速容易に取り出すことができる。  
【図面の簡単な説明】
【００１８】
【図１】丸め棒を使用して鞘筒の貫通孔内に紙を嵌挿した状態を示す実施例１の斜視図である。
【図２】図１の中央縦断面図である。
【図３】鞘筒と紙と丸め棒の分解斜視図である。
【図４】外周面に住所と氏名が記載された鞘筒の貫通孔に、巻き付けて丸めた紙と一緒に嵌挿する丸め棒を示した斜視図である。
【図５】鞘筒の外周面に標章を記載する一例を示した鞘筒の展開図を示している  。
【図６】木簡カプセルの多数を単位セットとして、この単位セットを和紙で束ねた状態を示す概略斜視図である。
【図７】収納地番が記載されている収納ケースの一例を示す概略説明図である。
【図８】図７の収納ケースの多数を収納した第２の収納ケースの一例を示す概略説明図である。
【発明を実施するための形態】
【００１９】
本発明の木簡カプセル１は、図１〜３に示されるように、長手方向に貫通孔１１を有する鞘筒１０と、文字や図柄や模様等のメッセージ２１を表記し、かつ鞘筒１０の貫通孔１１内に収納される和紙等の紙２０と、前記紙２０を巻き付けて丸め鞘筒１０の貫通孔１１に嵌挿すると共に、該紙２０が貫通孔１１内に完全に収納された状態で紙２０及び貫通孔１１から引き抜いて該紙２０を貫通孔１１内に収納して保管する丸め棒３０とを備え、前記紙２０の取り出し時には紙２０の一端を丸め棒３０で押して取り出すようにしてなることを特徴とする。
【００２０】
また、図４及び図５に示すように、前記鞘筒１０の外周面１２、１３、１４、１５には、使用目的に合わせてマークや図形や文字等の標章１６が記載されている方がよい。  
【００２１】
さらに、図６及び図７に示すように、木簡カプセル１・・・１のそれぞれには収納地番２（図４参照）を記載すると共に、多数の木簡カプセル１・・・１を和紙４０で束ねて単位セット４１とする一方、前記単位セット４１が収納される収納室５１を格子状に多数形成すると共に、各収納室５１には収納地番５２が記載されている収納ケース５０を設け、各収納室５１には収納地番５２に適合する前記単位セット４１が収納されるようにしてある方がよい。
この場合、前記単位セット４１の多数が収納された前記収納ケース５０の多数を、それぞれの収納室６１に収納できる第２の収納ケース６０を設けると、莫大な個数の木簡カプセルが保管できる。
【実施例１】
【００２２】
本発明の実施例１を図１〜図５に基づいて以下に説明する。
図１〜図４で、本発明に係る木簡カプセル１は、長手方向に貫通孔１１を有する木製で四角筒状の鞘筒１０と、文字や図柄や模様等のメッセージ２１を表記し、かつ鞘筒１０の貫通孔１１内に収納される和紙からなる紙２０と、前記紙２０を巻き付けて丸め、鞘筒１０の貫通孔１１に嵌挿すると共に、該紙２０が貫通孔１１内に完全に収納された状態で紙２０及び貫通孔１１から引き抜いて該紙２０を貫通孔１１内に収納して保管する一方、前記紙２０の取り出し時には紙２０の一端を丸め棒３０で押して取り出すようにした丸め棒３０とからなっている。
【００２３】
前記鞘筒１０は、この実施例では、縦横各１８ｍｍ、長さ７２ｍｍの四角筒状で、その貫通孔１１は直径９ｍｍの円孔である。
【００２４】
紙２０は、メッセージ２１を記した後、前記丸め棒３０で巻いて前記鞘筒１０の貫通孔１１に嵌挿するものであって、この実施例では、幅７０ｍｍの巻紙状の長尺としてある。この紙２０の長さは、前記貫通孔１１の収納断面積に応じて決定され、貫通孔１１の収納断面積を大きくするほど紙２０の長さを長くできる。
【００２５】
丸め棒３０は、保管時には、メッセージ２１を表記した紙２０を鞘筒１０の貫通孔１１に挿入して保管したり、期間経過後の開封時には、保管状態の紙２０の一端を押して紙２０を鞘筒１０の貫通孔１１から取り出すものであって、本実施例では木製の円形の丸棒で直径６ｍｍ、長さ８５ｍｍの大きさのものを使用している。
【００２６】
和紙からなる紙２０の鞘筒１０の挿入方法としては、紙２０を丸め棒３０に巻き付けて丸め、鞘筒１０の貫通孔１１に嵌挿する。前記紙２０が貫通孔１１内に完全に収納された状態で、丸め棒３０を紙２０及び貫通孔１１から引き抜いて、紙２０を貫通孔１１の内部に収納して保管する。
【００２７】
上記紙２０の取り出し方法としては、前記抜き取った丸め棒３０で、貫通孔１１内に収納保管されている紙２０を外方へ押し出して取り出し、紙２０に記されているメッセージ２１を、保管期間経過後等に視読することができる。
【００２８】
前記鞘筒１０の外周面には、図４及び図５に示されているように、使用目的に合わせてマークや図形や文字等の標章１６が記載されている。
この実施例では、鞘筒１０を四角筒状に形成しているので、その四角筒状体の第１外周面（図４で平面）１２には収納地番（収納場所）２を記載する。例えば、図５に示すように、平城京に倣って、収納地番を坊・条で示す。図５中の所在、坊・条の文字は予め印字しておく。第２外周面（図４で正面）１３には作成者の氏名３を記載する。図５中の氏名の文字は予め印字しておき、その欄に作成者自身が自書する。第３外周面（図４で底面）１４には所属団体名や事業名４を記載する。図５では一例として仮定の事業名や協賛者を予め印字しておく。第４外周面（図４で背面）１５には所属団体名や事業名４を象徴する名称やロゴ５を予め印字しておく。
上記の文字やマーク等の標章１６は、自書以外のものは、例えばレーザーによる方法で鞘筒１０の外周面に刻字して表記するとよい。
【００２９】
この木簡カプセル１は、保管時には、図１及び図２において、丸め棒３０を引き抜いて鞘筒１０の貫通孔１１内に、メッセージ２１の記載された紙２０が収納され保管される。
この保管方法としては、例えば、少人数の家族や知人等で保管する場合は、各人の木簡カプセルを、個別に又は１個の収納容器にまとめて収納して、土中等に埋設するとよい。
【００３０】
小・中学校の児童・生徒、親睦団体員等の如く、多人数で保管する場合は、例えば、図６に示す如く、メッセージ２１を記した紙２０を収納した木簡カプセル１の１００個を和紙４０で束ねて単位セット４１とする。
【００３１】
一方、図７に示す如く、前記単位セット４１が収納される収納室５１を格子状に多数形成すると共に、各収納室５１には収納地番５２が記載されている収納ケース５０を設け、各収納室５１には収納地番５２に適合する前記単位セット４１が収納されるようにしてある。
このような収納ケース５０に多数の単位セット４１を収納することにより、保管も便利
であると共に、単位セット４１又は各木簡カプセル１を取り出すときに迅速で容易に処理できる。
【００３２】
図８は、収納ケース５０より大型の第２の収納ケース６０であって、この第２の収納ケース６０の収納室６１・・・６１に、前記単位セット４１の多数が収納された前記収納ケース５０の多数を収納できるようにしたものである。
これによれば、莫大な個数の木簡カプセルが保管できる利点がある。
【符号の説明】
【００３３】
１      木簡カプセル
２      収納地番    
１０    鞘筒
１１    貫通孔
１２    第１外周面
１３    第２外周面
１４    第３外周面
１５    第４外周面  
１６    標章
２０    紙
２１    メッセージ
３０    丸め棒
４０    和紙
４１    単位セット
５０    収納ケース
５１    収納室
５２    収納地番
６０    第２の収納ケース
６１    収納室
【図１】
2011016227.tif 000003
【図２】
2011016227.tif 000004
【図３】
2011016227.tif 000005
【図４】
2011016227.tif 000006
【図５】
2011016227.tif 000007
【図６】
2011016227.tif 000008
【図７】
2011016227.tif 000009
【図８】
2011016227.tif 000010